(57)【要約】【課題】  全自動洗濯機において、洗濯兼脱水槽内及び洗剤投入ポケットへの注水位置を簡単に調整出来る洗濯機を提供する。【解決手段】  トップカバー１８には取り付けボス２２が設けてある。注水ケース２１には給水弁８からの給水ホースを接続する接続口２３と注水口９及び取り付け穴２４が設けてある。注水ケース２１の注水穴９のうち、いくつかの穴の近傍にリブ２５を設けることにより、水道水から供給された水の勢いを抑え、リブ内に一時的に水を溜め込むことにより水を真下へ注水することが出来る。水道水の水圧の低い時は、リブの無い注水穴２６より水が注水される。また、注水ケース２１をトップカバー１８に取り付ける際、取り付け穴２４の位置を変えて取り付けることにより、注水ケースの取り付け位置をずらして取り付けることが出来る。【選択図】図４
2009082259.tif 000002
【特許請求の範囲】
【請求項１】
洗濯兼脱水槽に配備された洗剤を投入する洗剤投入ポケットと前記洗剤投入ポケットと洗濯兼脱水槽内に注水する注水ケースを備えた全自動洗濯機において、前記注水ケースの注水穴のいずれかの穴の近傍にリブを設けるとともに、さらに注水ケースに本体への取付用穴を複数個設けたことを特徴とする全自動洗濯機。
【発明の詳細な説明】
【技術分野】
【０００１】
本発明は全自動洗濯機に関する。
【背景技術】
【０００２】
洗剤投入ポケットに水道水から給水された水が注水ケースを介して注水され、洗剤投入ポケット内の洗剤を溶かして出来た濃縮洗剤液で衣類を洗浄する構造となっている。
【０００３】
しかし、従来の技術では洗剤投入ポケットへの注水位置を狙って注水ケースの位置を調整するのが難しく、注水ケースの注水口の形状や穴位置の型変更を何度も行っていた。
【０００４】
注水ケースからの水が、洗剤投入ポケットに注水されないと、洗剤投入ポケットに投入した洗剤が溶けなくて、洗剤水として衣類に浸透しない。
【０００５】
また、洗濯槽の内径が変化した場合、（例えば洗濯容量の大小により、洗濯槽の内径が変わる）洗剤投入ポケットの径方向位置が変わると、注水位置が変わる。
【０００６】
さらに、給水する水道水圧が変化した場合、注水ケースへの給水流量が変化し、洗剤投入ポケットへの注水位置（注水流量が多いと水の飛びはねが発生したり、流量が少ないとチョロチョロ給水となる）が変わる。
【０００７】
【特許文献１】特開平１０−１５６０８７号公報
【発明の開示】
【発明が解決しようとする課題】
【０００８】
本発明は上記した従来技術の欠点を取り除き、注水ケースの取付位置を調整出来る構造とする。
【課題を解決するための手段】
【０００９】
洗濯兼脱水槽に配備された洗剤を投入する洗剤投入ポケットと前記洗剤投入ポケットと洗濯兼脱水槽内に注水する注水ケースを備えた全自動洗濯機において、前記注水ケースの注水穴のうち、いくつかの穴の近傍にリブを設け、さらに注水ケースに複数個の本体への取付穴を設け、取付位置をずらして調整出来るようにする。
【発明の効果】
【００１０】
本発明によれば、洗剤投入ポケット位置に確実に注水される位置を任意に変えることができる。水道水から給水される水の水圧が変化しても、注水穴近傍のリブで注水ケースから排出される注水量を調整することが可能である。給水量が過多の場合、注水ケースの注水穴近傍のリブを乗り越えて給水するため、洗濯槽に垂直下方にきれいに給水できる。給水量が過少の場合、近傍にリブの無い注水穴から、洗濯槽の垂直下方にきれいに給水できる。さらに注水ケースの取り付け位置をずらして調整出来るため、注水口から注水される水と洗剤投入ポケットの位置の調整を簡単に行うことが出来る。
【００１１】
また、洗濯容量の異なる洗濯機においても、洗濯兼脱水槽の径が変わっても注水ケースの位置を調整して対応可能なため、新型作成費用や金型変更費用が抑えられる。
【００１２】
さらに吊棒によって吊り下げられている洗濯槽の位置はバラツキが大きいため製品ごとのバラツキが発生した場合でも、補修等で個別に位置調整が可能である。
【発明を実施するための最良の形態】
【００１３】
（実施例１）
本発明の実施例図を基に説明する。図１は本発明を採用する全自動洗濯機の縦断面図である。外枠１には、４本の吊棒５により外槽２が支持され、外枠１の上部４隅の支持部１６から吊り下げられている。吊棒５と外槽２の支持部では外槽２の振動を吊棒５から外槽１に伝達しないように、オシバネ４が介在してある。外槽２の内部には、洗濯兼脱水槽３が取り付けられており、また、外槽２の底部中央には、衣類を攪拌する回転翼７が設けてある。外槽２の上部には、洗濯兼脱水槽３を包括するように、ソーカバー１７が設けられている。外槽底部中央には、洗濯時に攪拌翼７を正逆回転させたり、クラッチ１１の操作により、洗濯衣類を脱水させるための動力源であるモータ１５が設けられている。
【００１４】
外枠１の上部には、合成樹脂等により構成されたトップカバー１８が取り付けられている。このトップカバー１８には衣類を投入するための開閉蓋１２や、洗濯するために必要な水を供給する給水弁８，注水穴９，コントロールキバン１３等が設けられている。
【００１５】
トップカバー１８に設けてある、開閉蓋１２を開け、洗濯兼脱水槽３内へ洗濯する衣類を投入する。その後、トップカバー１８の表面に位置している操作パネル１４の各種キーにより設定する。図２は操作パネル１４の詳細説明図である。次にスタートキー１９を押すことにより、水道水の蛇口と給水弁８に接続されている給水ホース１０から給水弁８の開閉制御により、注水口９から洗濯兼脱水槽３に洗濯に必要な水が供給される。水を供給中に回転する洗濯兼脱水槽３に配備された洗剤投入ポケット２０に注水口９より注水された水が入ることにより、洗剤が溶けて、濃縮洗剤液が作られる。
【００１６】
図３は注水ケース２１の斜視図、図４は注水ケース２１をトップカバー１８に取り付けた状態の斜視図である。トップカバー１８には取り付けボス２２が設けてある。注水ケース２１には給水弁８からの給水ホースを接続する接続口２３と注水口９及び取り付け穴２４が設けてある。
【００１７】
注水ケース２１の注水穴９のうち、いくつかの穴の近傍にリブ２５を設けることにより、水道水から供給された水の勢いを抑え、リブ内に一時的に水を溜め込むことにより水を真下へ注水することが出来る。水道水の水圧の低い時は、リブの無い注水穴２６より注水される。
【００１８】
図５は給水ホース１０から給水された水が接続口２３を通過した後、注水ケース２１内での水の流れを説明した図である。給水された水はボス２７で水流を弱め、さらに回転水流用リブ２８で回転水流となる。
【００１９】
回転水流後、ある程度弱まった水流が回転水流用リブ２８の間から注水穴２６方向へ流れてくる。給水量が過少の場合、近傍にリブの無い注水穴２６から洗濯槽の垂直方向に給水される。図６は給水穴から垂直方向へ注水される水の流れの断面図である。注水穴の下方向へ円形状のリブ２９を設けることによりさらに垂直方向へ給水することができる。給水量が過多の場合は、リブの無い注水穴からの注水だけでは排出しきれなくなり、注水ケース内に水が溜まってきて、注水穴９の近傍のリブ２５を乗り上げて水流が弱まり、注水穴９より洗濯槽の垂直方向に給水される。
【００２０】
また、注水ケース２１をトップカバー１８に取り付ける際、取り付け穴２４の位置を変えて取り付けることにより、注水ケースの取り付け位置をずらして取り付けることが出来る。
【図面の簡単な説明】
【００２１】
【図１】全自動洗濯機の縦断面図。
【図２】操作パネル図。
【図３】注水ケースの斜視図。
【図４】注水ケースの取り付け図。
【図５】注水ケース内の水の流れの説明図。
【図６】注水穴から垂直方向への水の流れの説明図。
【符号の説明】
【００２２】
１  外枠
２  外槽
３  洗濯兼脱水槽
４  オシバネ
５  吊棒
６  バランサー
７  攪拌翼
８  給水弁
９  注水穴
１０  給水ホース
１１  クラッチ
１２  開閉蓋
１３  コントロールキバン
１４  操作パネル
１５  モータ
１６  支持部
１７  ソーカバー
１８  トップカバー
１９  スタートキー
２０  洗剤投入ポケット
２１  注水ケース
２２  取り付けボス
２３  接続口
２４  取り付け穴
２５  リブ
２６  注水穴（リブ無し）
２７  ボス
２８  回転水流用リブ
２９  円形状のリブ
【図１】
2009082259.tif 000003
【図２】
2009082259.tif 000004
【図３】
2009082259.tif 000005
【図４】
2009082259.tif 000006
【図５】
2009082259.tif 000007
【図６】
2009082259.tif 000008